(57)【要約】      （修正有）【課題】製本型往復葉書とその製造において、製本部分に確実に熱と圧力が伝わるため未接着状態とならず、また製本部分のフィルムシートに皺や破れが発生せず、さらに完成後は外観がシンプルで美観が著しく向上する製本型往復葉書とその製造方法を提供する。【解決手段】第一葉片１と第二葉片２及び第二葉片２と第四葉片４の対向面間が疑似接着フィルムシートＧを介して剥離可能に接着され、第一葉片１と第二葉片２が連接する折り兼開封ミシンと対向する側の辺において段差を形成し、段差をフィルムシートＦで被覆して開封後に第一葉片１と第二葉片２を段差に沿って製本状態に固定すると共に第二葉片２と第四葉片４が両葉片に渡り被覆されている疑似接着フィルムシートＧにより製本状態に連接され且つ第二葉片２と第三葉片３が折り線で製本状態に連接されることにより剥離後に全葉片が製本状態に展開される製本型往復葉書とした。【選択図】図３
2017128102.tif 000002
【特許請求の範囲】
【請求項１】
折り畳まれた複数の葉片の任意の対向する葉片同志が疑似接着フィルムシートを介して剥離可能に積層され剥離後製本状態となる製本型往復葉書であり、上から第一葉片、第二葉片、第四葉片及び第三葉片の順で折り畳まれ、第一葉片と第二葉片及び第二葉片と第四葉片の対向面間が疑似接着フィルムシートを介して剥離可能に接着され、第一葉片と第二葉片が連接する折り兼開封ミシンと対向する側の辺において段差を形成し、前記段差をフィルムシートで被覆して開封後に第一葉片と第二葉片を前記段差に沿って製本状態に固定すると共に第二葉片と第四葉片が両葉片に渡り被覆されている疑似接着フィルムシートにより製本状態に連接され且つ第二葉片と第三葉片が折り線で製本状態に連接されることにより剥離後に全葉片が製本状態に展開されることを特徴とした製本型往復葉書。
【請求項２】
上から第一葉片、第二葉片、第四葉片及び第三葉片の順で折り畳まれ、第一葉片と第二葉片及び第二葉片と第四葉片の対向面間が疑似接着フィルムシートを介して剥離可能に接着され、第一葉片と第二葉片が連接する折り兼開封ミシンと対向する側の辺において段差を形成し、前記段差をフィルムシートで被覆して開封後に第一葉片と第二葉片を前記段差に沿って製本状態に固定すると共に第二葉片と第四葉片が両葉片に渡り被覆されている疑似接着フィルムシートにより製本状態に連接され且つ第二葉片と第三葉片が折り線で製本状態に連接されることにより剥離後に全葉片が製本状態に展開されることを特徴とした製本型往復葉書の製造方法であって、折り線及び切断予定線を介して横方向に第四葉片、第三葉片、第二葉片及び第一葉片が連接されると共に第一葉片外側に打ち抜き窓部が形成された単位シートが天地の切断予定線を介して縦方向に連接された長尺シートの第四葉片外側のマージナル部分を第一の切除工程により切除しながら繰り出す長尺シートの繰り出し工程、繰り出された長尺シートの第四葉片と第三葉片の表面側が対向するように片袖折り状態に折り畳む第一の折り畳み工程、片袖折り状態に折り畳まれた長尺シートの疑似接着予定面に疑似接着フィルムシートを被覆すると共に打ち抜き窓部にフィルムシートを被覆するフィルムシートの被覆工程、各種フィルムシートが被覆された長尺シートの第一葉片外側のマージナル部分を切除する第二の切除工程、第一葉片外側のマージナル部分が切除された長尺シートを各折り線から連続的に折畳む折り畳み工程、折り畳まれた長尺シートの第四葉片と第三葉片を連接するマージナル部分を切除する第三の切除工程、全てのマージナル部分が切除された長尺シートを単位シート毎に断裁する断裁工程、長尺シートから断裁された単位シートの疑似接着フィルムシートを介して対向する面同士を剥離可能に一体化する一体化工程とからなることを特徴とした製本型往復葉書の製造方法。
【請求項３】
上から第一葉片、第二葉片、第四葉片及び第三葉片の順で折り畳まれ、第一葉片と第二葉片及び第二葉片と第四葉片の対向面間が疑似接着フィルムシートを介して剥離可能に接着され、第一葉片と第二葉片が連接する折り兼開封ミシンと対向する側の辺において段差を形成し、前記段差をフィルムシートで被覆して開封後に第一葉片と第二葉片を前記段差に沿って製本状態に固定すると共に第二葉片と第四葉片が両葉片に渡り被覆されている疑似接着フィルムシートにより製本状態に連接され且つ第二葉片と第三葉片が折り線で製本状態に連接されることにより剥離後に全葉片が製本状態に展開されることを特徴とした製本型往復葉書の製造方法であって、折り線及び切断予定線を介して横方向に第四葉片、第三葉片、第二葉片及び第一葉片が連接されると共に第一葉片外側に打ち抜き窓部が形成された単位シートが印刷されると共に第四葉片と第三葉片の表面側が対向するように片袖折り状態に折り畳まれた枚葉シートを順次繰り出す枚葉シートの繰り出し工程、繰り出された枚葉シートの疑似接着予定面に疑似接着フィルムシートを被覆すると共に打ち抜き窓部にフィルムシートを被覆するフィルムシートの被覆工程、各種フィルムシートが被覆された枚葉シートの両外側の縦方向の余白を切除する切除工程、縦方向の余白が切除された枚葉シートを各折り線から連続的に折畳む折り畳み工程、折り畳まれた枚葉シートを単位シート毎に断裁する断裁工程、断裁された単位シートの疑似接着フィルムシートを介して対向する面同士を剥離可能に一体化する一体化工程とからなることを特徴とした製本型往復葉書の製造方法。
【発明の詳細な説明】
【技術分野】
【０００１】  本発明は複数の葉片が剥離可能に折り畳まれ或いは切り重ねられた往復葉書の製造方法に関する。
詳しくは、最近盛んに使用されている、見掛けは通常の葉書であるにもかかわらず、複数の葉片が剥離可能に積層された葉書があるが、本発明はそのような葉書の形態で最も多くの情報を隠蔽状態で伝達することができる往復葉書とその製造方法であり、取り分け開封後に製本状態に展開される製本型往復葉書及びその製造方法に関する。
【背景技術】
【０００２】  通常、前記剥離可能に積層された葉書に代表される情報通信体は、開封後平面に展開される。そのような構成だと当初平面にプリントアウトしておいて折り畳むだけでよいからである。前記特徴を持つ情報通信体であるが、各面に記載される各種情報の配置や視認性の都合上、最終仕上がり形態にどうしても製本状態を選択したい場合がある。そのような場合に用いられる製本状態の情報通信体として、例えば特開２０１３−８６５０７号公報がある。
【先行技術文献】
【特許文献】
【０００３】
【特許文献１】特開２０１３−８６５０７号公報
【発明の概要】
【発明が解決しようとする課題】
【０００４】  前記引用文献中に記載される製本型往復葉書は、製本手段として貫通孔を形成する。そして貫通孔に被覆されたフィルムシート又は疑似接着フィルムシートの前記貫通孔から露出した接着剤により対向面へ製本状態に接着するのであるが、貫通孔の形状や大きさによっては加熱・加圧処理を施すためにヒートローラ間を通過させても、用紙の厚み等が影響して貫通孔の中央部では熱や圧力が十分伝わらず未接着状態になってしまう。【０００５】  そこで例えば貫通孔の形成部分を切除して対向する葉片の製本側の縁辺に沿って段差を形成し、前記段差をフィルムシートで被覆して前記対向する葉片同志を前記段差に沿って製本状態に固定する方法が考えられる。しかるに前記段差を利用した製本手段では、製造工程中に固定されず意図せずに動く段差にはみ出したフィルムシートの取り扱いで苦労する。即ち薄くて腰のないフィルムシートは製造工程中の振動や搬送ローラにより皴や破れが容易に生じてしまうのである。【０００６】  本発明は、上記問題に鑑み、製本型往復葉書とその製造において、製本部分に確実に熱と圧力が伝わるため未接着状態とならず、また製造工程において製本部分のフィルムシートに皺や破れが発生せず、さらに完成後は外観がシンプルで美観が著しく向上する製本型往復葉書とその製造方法を提供するものである。
【課題を解決するための手段】
【０００７】  上記目的を達成するために本発明の製本型往復葉書は、折り畳まれた複数の葉片の任意の対向する葉片同志が疑似接着フィルムシートを介して剥離可能に積層され剥離後製本状態となる製本型往復葉書であり、上から第一葉片、第二葉片、第四葉片及び第三葉片の順で折り畳まれ、第一葉片と第二葉片及び第二葉片と第四葉片の対向面間が疑似接着フィルムシートを介して剥離可能に接着され、第一葉片と第二葉片が連接する折り兼開封ミシンと対向する側の辺において段差を形成し、前記段差をフィルムシートで被覆して開封後に第一葉片と第二葉片を前記段差に沿って製本状態に固定すると共に第二葉片と第四葉片が両葉片に渡り被覆されている疑似接着フィルムシートにより製本状態に連接され且つ第二葉片と第三葉片が折り線で製本状態に連接されることにより剥離後に全葉片が製本状態に展開されることを特徴としている。【０００８】  また上記目的を達成するために、本発明の製本型情報通信体の製造方法は、上から第一葉片、第二葉片、第四葉片及び第三葉片の順で折り畳まれ、第一葉片と第二葉片及び第二葉片と第四葉片の対向面間が疑似接着フィルムシートを介して剥離可能に接着され、第一葉片と第二葉片が連接する折り兼開封ミシンと対向する側の辺において段差を形成し、前記段差をフィルムシートで被覆して開封後に第一葉片と第二葉片を前記段差に沿って製本状態に固定すると共に第二葉片と第四葉片が両葉片に渡り被覆されている疑似接着フィルムシートにより製本状態に連接され且つ第二葉片と第三葉片が折り線で製本状態に連接されることにより剥離後に全葉片が製本状態に展開されることを特徴とした製本型往復葉書の製造方法であって、折り線及び切断予定線を介して横方向に第四葉片、第三葉片、第二葉片及び第一葉片が連接されると共に第一葉片外側に打ち抜き窓部が形成された単位シートが天地の切断予定線を介して縦方向に連接された長尺シートの第四葉片外側のマージナル部分を第一の切除工程により切除しながら繰り出す長尺シートの繰り出し工程、繰り出された長尺シートの第四葉片と第三葉片の表面側が対向するように片袖折り状態に折り畳む第一の折り畳み工程、片袖折り状態に折り畳まれた長尺シートの疑似接着予定面に疑似接着フィルムシートを被覆すると共に打ち抜き窓部にフィルムシートを被覆するフィルムシートの被覆工程、各種フィルムシートが被覆された長尺シートの第一葉片外側のマージナル部分を切除する第二の切除工程、第一葉片外側のマージナル部分が切除された長尺シートを各折り線から連続的に折畳む折り畳み工程、折り畳まれた長尺シートの第四葉片と第三葉片を連接するマージナル部分を切除する第三の切除工程、全てのマージナル部分が切除された長尺シートを単位シート毎に断裁する断裁工程、長尺シートから断裁された単位シートの疑似接着フィルムシートを介して対向する面同士を剥離可能に一体化する一体化工程とからなることを特徴としている。【０００９】  なお、長尺シートの繰り出しに際して、予め予め第四葉片外側のマージナル部分を切除しておくことにより第一の切除工程を省略しても構わない。【００１０】  さらに上記目的を達成するために、本発明の異なる態様の製本型情報通信体の製造方法���、上から第一葉片、第二葉片、第四葉片及び第三葉片の順で折り畳まれ、第一葉片と第二葉片及び第二葉片と第四葉片の対向面間が疑似接着フィルムシートを介して剥離可能に接着され、第一葉片と第二葉片が連接する折り兼開封ミシンと対向する側の辺において段差を形成し、前記段差をフィルムシートで被覆して開封後に第一葉片と第二葉片を前記段差に沿って製本状態に固定すると共に第二葉片と第四葉片が両葉片に渡り被覆されている疑似接着フィルムシートにより製本状態に連接され且つ第二葉片と第三葉片が折り線で製本状態に連接されることにより剥離後に全葉片が製本状態に展開されることを特徴とした製本型往復葉書の製造方法であって、折り線及び切断予定線を介して横方向に第四葉片、第三葉片、第二葉片及び第一葉片が連接されると共に第一葉片外側に打ち抜き窓部が形成された単位シートが印刷されると共に第四葉片と第三葉片の表面側が対向するように片袖折り状態に折り畳まれた枚葉シートを順次繰り出す枚葉シートの繰り出し工程、繰り出された枚葉シートの疑似接着予定面に疑似接着フィルムシートを被覆すると共に打ち抜き窓部にフィルムシートを被覆するフィルムシートの被覆工程、各種フィルムシートが被覆された枚葉シートの両外側の縦方向の余白を切除する切除工程、縦方向の余白が切除された枚葉シートを各折り線から連続的に折畳む折り畳み工程、折り畳まれた枚葉シートを単位シート毎に断裁する断裁工程、断裁された単位シートの疑似接着フィルムシートを介して対向する面同士を剥離可能に一体化する一体化工程とからなることを特徴としている。【００１１】  前記長尺シート及び枚葉シートの製造方法における折り線への折り手段の形成は、予めシートに施しておいても、また繰り出した後に形成しても、或いは被覆工程の後でもよく、さらに被覆工程の上下流側で段階的に形成されても構わない。【００１２】  本発明では、第一及び第二葉片の製本手段として両葉片の横幅の相違により生じる段差を利用しフィルムシートを被覆して製本状態に仕上げる。前記フィルムシートとしては公知のプリントラミネート用のフィルムシートを使用することができ、例えばポリエチレンテレフタレートや二軸延伸ポリプロピレン等を基材としたドライラミネート用のものや、図２７（Ａ）に示すように、基材８１の一方の面に感熱接着剤層８２を形成したサーマルラミネート用のフィルムシートＦ等があるが、後述する実施例では後者のサーマルラミネート用のフィルムシートＦを使用している。【００１３】  また本発明で使用する、対向する葉片同士の疑似接着予定面を剥離可能に接着する疑似接着フィルムシートとしては、例えばポリエチレンテレフタレートや二軸延伸ポリプロピレン等を基材として、一方の面に疑似接着層を形成したドライラミネート方式に対応したプリントラミネート用の疑似接着フィルムシートや、図２７（Ｂ）に示すように、基材８１の一方の面に公知の感熱接着剤層８２を形成すると共に残るもう一方の面に疑似接着層８３を形成した、サーマルラミネート方式に対応したプリントラミネート用の疑似接着フィルムシートＧ等がある。後述する実施例では後者のサーマルラミネート用の疑似接着フィルムシートＧを使用している。【００１４���  前記疑似接着フィルムシートＧは、例えば情報通信体等の印刷物の疑似接着予定面に被覆して、疑似接着予定面同士を前記疑似接着層８３同士が対向するように折り合わせ或いは切重ねた後に加圧又は加熱・加圧処理を施すと剥離可能に接着するものである。従って疑似接着後に対向葉片を引き剥がすと容易に分離することができる。【００１５】  本発明では、重なり合って対向する二葉片（第一葉片と第二葉片）を製本状態に加工するために二段階の被覆加工を施す。即ち、最初に平面状態に展開された葉片の幅の狭い葉片に隣接して設けられた打抜き窓部を全面的にカバーする状態でフィルムシートＦ（疑似接着フィルムシートを流用しても構わない）を被覆する。そして次に前記打ち抜き窓部の内方の切断予定線で余分なフィルムシートＦを切除しておいて、続く折り工程の折り畳みにより段差からはみ出した部分のフィルムシートＦを、一体化工程において疑似接着の実行と共に幅の広い葉片の縁辺に沿って被覆する。それらの工程中において窓状の打ち抜き部は、その縁枠が梁となりフィルムシートの皺入りや破れを防ぐ助けとなるのである。【００１６】  なお、最初の被覆に際して、フィルムシートＦが窓状の打抜き部において、その感熱接着剤層８２が露出するためにヒートローラ等の加熱加圧による被覆手段の接触部分に接着しないようにする必要がある。前記被覆手段として例えば一対のヒートローラ、金属性ヒートローラと弾性バックアップローラの組み合わせ、ヒータパネルと加圧ローラの組み合わせ等が採用できるが、既述の感熱接着剤層８２により支障が生じないように表面にフッ素処理を施し離型性を向上させることが好ましい。特にヒートローラ等の各種ローラ類にはフッ素チューブ等を被覆することにより、前記感熱接着剤による通過用紙の巻き込みや、葉片表面に印字された文字等のトナーの溶融による転写が防止できるため極めて至便である。【００１７】  本発明の第一葉片と第二葉片を連接する折り線に形成される折り兼開封ミシンは、容易に手で開封される構成であることが好ましい。前記ミシンを施す用紙にフィルムシートが被覆されているか否により開封の容易さが異なるが、フィルムシートが施されていない場合、例えばカットとアンカットの比率をそれぞれ３ｍｍ以上と１ｍｍ以下の比率にすることが好ましい。具体的には３：０．８或いは４：１等の比率が好適に採用される。フィルムシートが施されている場合には用紙とフィルムシートの両者を破断して開封する必要があるため、前記用紙単体に施す比率よりもさらに破断しやすい比率でも構わない。【００１８】  なお、各葉片を連接する折り線に施される折りミシンは前記折り兼開封ミシンよりも破断されにくい比率のものが適宜採用できる。またミシン目ではなく折り筋による折り手段も選択可能である。
【発明の効果】
【００１９】  本発明の製本型往復葉書は、その製本手段が、第一葉片と第二葉片では横幅の異なる葉片を重ね合わせた際に生じる段差部分に沿ってはみ出したフィルムシートの被覆による製本、または第二葉片と第四葉片では別体の葉片が疑似接着フィルムシートにより連接される製本、さらに第二葉片と第三葉片では折り線により連接された葉片を単純に折り畳む製本手段が集合した構成で、特に第一葉片と第二葉片の段差に沿った前記フィルムシートの被覆に際して段差部分全域に熱や圧が十分行き渡り、前記両葉片の段差部分に沿っての接着が確実に実行される。【００２０】  また前記フィルムシート及び疑似接着フィルムシートは透明又は半透明のものが使用されるのでデザインに支障が生じず見た目すっきりとした外観になり美的感覚が向上する。【００２１】  さらに、打ち抜き窓部を使用するため、はみ出したフィルムシートの所要部分に梁が形成され、そのため特に製造工程中の折り畳み工程でのフィルムシートの皺入りや破れ等のトラブルを防止することが可能になり、従って素人でも短時間で大量の製本型情報通信体を製造することができる。
【図面の簡単な説明】
【００２２】
【図１】（Ａ）は本発明の製本型往復葉書Ｊ１の表面図、（Ｂ）は裏面図である。
【図２】（Ａ）は図１（Ａ）における▲１▼−▲１▼線断面図、（Ｂ）は▲２▼−▲２▼線断面図である。
【図３】本発明の製本型往復葉書Ｊ１の斜視図である。
【図４】（Ａ）は製本型往復葉書Ｊ１を長尺シートで製造する際に使用する長尺シートＳ１の表面図、（Ｂ）は裏面図である。
【図５】本発明の製本型情報通信体Ｊ１の前半の製造方法の要部概略工程図である。
【図６】本発明の製本型情報通信体Ｊ１の後半の製造方法の要部概略工程図である。
【図７】（Ａ）はマージナル部分１０ｄが切除された長尺シートＳ１の表面図、（Ｂ）は（Ａ）における▲３▼−▲３▼線断面図である。
【図８】（Ａ）は折り線７から第四葉片４を第三葉片３表面側へ折り畳み片袖折り状態とした長尺シートＳ１の表面図、（Ｂ）は（Ａ）における▲４▼−▲４▼線断面図である。
【図９】（Ａ）は図８の長尺シートＳ１の表面側の疑似接着予定面に疑似接着フィルムシートＧを被覆した状態の表面図、（Ｂ）は（Ａ）における▲５▼−▲５▼線断面図である。
【図１０】図８の長尺シートＳ１の裏面側の疑似接着予定面に疑似接着フィルムシートＧを被覆した状態の裏面図である。
【図１１】（Ａ）は図９の長尺シートＳ１のマージナル部分１０ａを切除した長尺シートＳ１の表面図、（Ｂ）は（Ａ）における▲６▼−▲６▼線断面図である。
【図１２】（Ａ）は各折り線から折畳まれた長尺シートＳ１の平面図、（Ｂ）は（Ａ）における▲７▼−▲７▼線断面図である。
【図１３】（Ａ）は図１２（Ａ）の長尺シートＳ１におけるマージナル部分１０ｂ、１０ｃが切除された状態を示す平面図、（Ｂ）は（Ａ）における▲８▼−▲８▼線断面図である。
【図１４】（Ａ）は本発明の製本型往復葉書Ｊ２の表面図、（Ｂ）は裏面図、（Ｃ）は（Ａ）における▲９▼−▲９▼線断面図である。
【図１５】本発明の製本型往復葉書Ｊ２の斜視図である。
【図１６】製本型往復葉書Ｊ２を製造する際に使用する枚葉シートＳ２の表面図である。
【図１７】製本型往復葉書Ｊ２を製造する際に使用する枚葉シートＳ２の裏面図である。
【図１８】縦方向の余白５０ｄが切除された枚葉シートＳ２の表面図である。
【図１９】（Ａ）は折り線４７から第四葉片４４を第三葉片４３表面側へ折り畳み片袖折り状態とした枚葉シートＳ２の表面図、（Ｂ）は（Ａ）における▲１０▼−▲１０▼線断面図である。
【図２０】折り線４７から第四葉片４４を第三葉片４３表面側へ折り畳み片袖折り状態とした枚葉シートＳ２の裏面図である。
【図２１】枚葉シートＳ２を使用した製本型情報通信体Ｊ２の製造方法の要部概略工程図である。
【図２２】（Ａ）は図１９に示す枚葉シートＳ２の表面側の疑似接着予定面に疑似接着フィルムシートＧを被覆した状態の表面図、（Ｂ）は（Ａ）における▲１１▼−▲１１▼線断面図である。
【図２３】図２０に示す枚葉シートＳ２の裏面側の疑似接着予定面に疑似接着フィルムシートＧを被覆した状態の裏面図である。
【図２４】（Ａ）は図２２に示す枚葉シートＳ２の折り線４５に折り兼開封ミシン及び折り線４６に折り筋が形成された状態を示す表面図、（Ｂ）は（Ａ）における▲１２▼−▲１２▼線断面図である。
【図２５】（Ａ）は図２３の枚葉シートＳ２における両外側の縦方向の余白５０ａ、５０ｂ及び５０ｃが切除された状態を示す表面図、（Ｂ）は（Ａ）における▲１３▼−▲１３▼線断面図である。
【図２６】（Ａ）は各折り線から折畳まれた枚葉シートＳ２の平面図、（Ｂ）は（Ａ）における▲１４▼−▲１４▼線断面図である。
【図２７】（Ａ）はフィルムシートＦの部分拡大断面図、（Ｂ）は疑似接着フィルムシートＧの部分拡大断面図である。
【発明を実施するための形態】
【００２３】  以下図面に沿って本発明を詳しく説明する。
［製本型往復葉書Ｊ１］
本実施例の製本型往復葉書Ｊ１は、図１乃至図３に示すように例えば上から第一葉片１、第二葉片２、第四葉片４及び第三葉片３がそれぞれ折り線５及び６に形成された折り兼開封ミシン及び折り筋から第四葉片４を巻き込むように略断面Ｚ字状に折り畳まれると共に、第一葉片１と第二葉片２の対向面間及び第二葉片２と第四葉片４の対向面間が疑似接着フィルムシートＧを介して剥離可能に一体化された往復葉書である。
【００２４】  なお、図１（Ａ）に示すように第一葉片１の左側縁辺には、第二葉片２の左側縁辺に沿って記載されている「郵便往復葉書」の文言と対応する部分が丸孔により打ち抜かれており、外部から視認することができるよう構成されている。
【００２５】  そして図２（Ａ）及び（Ｂ）に示すように、第一葉片１と第二葉片２を連接する折り線５と逆側の縁辺段差部分が、フィルムシートＦの被覆により製本状態に形成されている。
【００２６】  なおフィルムシートＦ及び疑似接着シートＧの構成は、正しくは図２７（Ａ）及び（Ｂ）に示すようにそれぞれ２層と３層であるが、後述する製本型往復葉書の製造方法等を含め複雑化を避けるため両者共に１層で表現している。
【００２７】  また図１（Ａ）に示すように、第一葉片１の左下隅にコーナーカット部Ｋが設けられ、この部分を剥離の端緒として折り線５に形成された折り兼開封ミシンに沿って第一葉片１と第二葉片２の剥離が開始される。なお図２（Ａ）及び（Ｂ）に示すように、第二葉片２と第四葉片４は対向面間に介在する疑似接着フィルムシートＧを開封側縁辺から内方へ控え配置することにより生じる非接着域を開封の端緒とすることができる。前記非接着域は対向葉片の何れかの葉片或いは両者の開封縁辺から内方へ疑似接着フィルムシートを控えて被覆すること等により容易に形成することができる。
【００２８】  さらに、図２（Ａ）及び（Ｂ）に示すように、第二葉片２及び第四葉片４は本来独立して分離しているところ疑似接着フィルムシートＧにより連接状態となっている。
【００２９】  既述の通り構成された製本型往復葉書Ｊ１は、図１及び図３に示すように見た目すっきりとしており、段差部の外観が全体のデザイン等を邪魔して美観を損ねる原因にはならない。また図３に示すように第一葉片１と第二葉片２は折り線５に形成された兼開封ミシンから容易に破断され剥離でき、一方第二葉片２と第四葉片４は既述の非接着域を端緒として剥離することができ、返信葉書を含めて４葉片が全体として見開き製本状態に展開される。
【００３０】［長尺シートＳ１を使用した製本型往復葉書Ｊ１の製造方法］
本発明の製本型往復葉書Ｊ１の製造方法に使用される長尺シートＳ１は、図４（Ａ）及び（Ｂ）に示すように、第一葉片１、第二葉片２、第三葉片３及び第四葉片４が折り線５、６及びマージナル部分１０ｂ、１０ｃを介して横方向に連接された単位シートｔ１が天地の切取予定線９（ミシン等に代えても構わない）を介して縦方向に連接されている。また、第一葉片１の外側には打ち抜き窓部Ｑを介してマージナル孔１１を設けたマージナル部分１０ａが連接され、同様に第四葉片４の外側には切取予定線８ｄを介してマージナル孔１１を設けたマージナル部分１０ｄが連接されている。
【００３１】  そして図４（Ａ）に示すように、打ち抜き窓部Ｑと接する第一葉片１表面には郵便料金欄や郵便番号欄、或いは図示されない受取人の住所氏名等が記載されている。また、第二葉片と連接する折り線５に沿って、製本型往復葉書の完成時に下側に位置する第二葉片２裏面に記載された「郵便往復葉書」の文言を読み取るための、打抜き孔Ｈ１が前記「郵便往復葉書」の文言に対応する位置に打ち抜かれると共に、左隅に剥離の端緒となるコーナーカット部Ｋが打ち抜かれている。
【００３２】  また製本型往復葉書Ｊ１の完成後に折り畳まれて内部に隠蔽される第二葉片２表面には、図示されていないが、個人情報や広告宣伝等の一般情報が記載されている。
【００３３】  さらに製本型往復葉書Ｊ１の完成後に返信葉書の返信先住所面となる第三葉片３表面には、郵便料金欄や郵便番号欄、或いは図示されない受取人の住所氏名等が記載されている。
【００３４】  また製本型往復葉書Ｊ１の完成後に表出する第四葉片４表面には、図示されてはいないが例えば広告宣伝等の一般情報が記載されている。
【００３５】  そして図４（Ｂ）に示すように、製本型往復葉書Ｊ１の完成後に折り畳まれた内部に隠蔽される第一葉片１、第二葉片２及び第四葉片４裏面には、図示されていないが個人情報や広告宣伝等の一般情報が記載され、完成後に返信葉書の裏面として表出する第三葉片３裏面には図示されていないアンケートの回答欄や広告宣伝等の一般情報が記載されている。
【００３６】  なお、図４（Ｂ）の第二葉片２の左縁辺の折り線５に沿って記載される「郵便往復葉書」の文言は、製本型往復葉書Ｊ１の完成後（折り線５から第一葉片１及び第二葉片２の裏面同士が折り合わされる）に第一葉片１に形成されている丸孔Ｈ１を透して外部から視認できるよう配置されている。
【００３７】  既述のように構成された長尺シートＳ１は、例えば単位シートｔ１の天地の切取予定線９に形成された折りミシン等から蛇腹に折り畳まれ、ブロック状態で図５に示す工程の最上流になる左下の用紙載せ台２１上に配置される。そして最上面の単位シートｔ１から上方のサポートローラ２２に引き上げられた後にほぼ水平に向きを変えると、右側に配置されたピントラクタ２３のピンとマージナル孔１１を嵌合させて、右側に配置されたスリット刃２４ａとバックアップローラ２４ｂとの組み合わせからなる第一の切除工程を実行する切除装置により、図７（Ａ）及び（Ｂ）に示すように第四葉片４外側のマージナル部分１０ｄが切除された後に、右側に配置された一対のニップローラ２５ａ、２５ｂによりさらに右側に配置された折り畳み装置へ送られる。
【００３８】  折り畳み装置では、下側のサポートローラ２６から上側のサポートローラ２７へ引き上げるまでに、図示されないガイド板やガイドバーにより図８（Ａ）及び（Ｂ）に示すように、折り線７（折りミシンが形成されている）から第四葉片４と第三葉片３の表面同士が対向する状態に片袖折りされる。
【００３９】  片袖折りされた長尺シートＳ１は次に右側に配置されている一対のヒートローラ２８ａ、２８ｂからなる被覆工程へと送り出される。なお、前記第四葉片４外側のマージナル部分１０ｄは、工程の最上流左下に配置する段階で予め切除されていても構わない。そのようにすることで第一の切除工程を省略することができる。
【００４０】  被覆工程では、長尺シートＳ１表面側において、図９（Ａ）及び（Ｂ）に斜線で示すように、第二葉片２表面と第四葉片４裏面の両者にまたがり疑似接着フィルムシートＧが被覆される。そして第一葉片１表面と打ち抜き窓部Ｑ及びマージナル部分１０ａに掛けてフィルムシートＦが被覆される。
【００４１】  また長尺シートＳ１の裏面側において図１０及び図９（Ｂ）に示すように、第一葉片１裏面には打抜き窓部ＱとコーナーカットＫの間に疑似接着フィルムシートＧが被覆されると共に、第二葉片２にも前記第一葉片１に被覆された疑似接着フィルムシートＧと折り線５から折り合わせた際に対応する位置に別の疑似接着フィルムシートＧが被覆される。
【００４２】  各種フィルムシートが被覆された長尺シートＳ１は、次に右側に配置されているスリット刃２９ａ及びバックアップローラ２９ｂからなる第二の切除工程を構成する切除装置へ送り出される。前記第二の切除工程で図１１（Ａ）及び（Ｂ）の断面図に示すように、第一葉片１外側のマージナル部分１０ａが切除された長尺シートＳ１はその後右側に配置されている一対のニップローラ３０ａ、３０ｂにより更に右側に配置された折り畳み工程へ送り出されるのである。
【００４３】  折り畳み工程では下方のサポートローラ３１から上方のサポート３２へ引き上げられるまでに、図１２（Ａ）及び（Ｂ）に示すように、長尺シートＳ１は断面略Ｚ字状に連続的に折り畳まれる。そして略水平に向きを変えると右側に配置されているピントラクタ３３のピンと、残っているマージナル部分１０ｃ、１０ｂ（折り畳まれて重なり合っている）のマージナル孔１１を嵌合させ、さらに右側に配置されているスリット刃３４ａ及びバックアップローラ３４ｂからなる第三の切除工程を構成する切除装置へと送り出される。
【００４４】  第三の切除工程では図１３（Ａ）及び（Ｂ）に示すように、残りのマージナル部分１０ｃ、１０ｂが切除される。そして前記マージナル部分１０ｃ、１０ｂを切除した長尺シートＳ１は、さらに右側に配置されているダイカットローラ３５ａとバックアップローラ３５ｂからなる断裁工程へと送り込まれる。
【００４５】  断裁工程ではダイカットローラ３５ａに装着された横刃により長尺シートＳ１は、図１３（Ａ）に示す切取予定線９から断裁され、順次単位シートｔ１が切り出され図１３（Ｂ）に示す断面状態に個別に仕上げられる。そして前記個別に仕上げられた単位シートｔ１は右側に配置された一対の搬送ローラ３６ａ、３６ｂと一対のヒータパネル３７ａ、３７ｂが交互に配置されると共に排出口に一対の加圧ローラ３８ａ、３８ｂを配置した一体化工程へと送り出される。
【００４６】  一体化工程では前記一対のヒータパネル３７ａ、３７ｂ間を通過する単位シートｔ１が十分加熱された後に排出口の一対の加圧ローラ３８ａ、３８ｂで加圧されることにより、対向する疑似接着フィルムシートＧの疑似接着層８３同士が剥離可能に疑似接着すると共に、第一葉片１の縁辺からはみ出したフィルムシートＦが第二葉片２の表出面に剥離不能に接着して、図１（Ａ）、（Ｂ）及び図２（Ａ）、（Ｂ）に示すように全体として一体化されるのである。そして完成した情報通信体Ｊ１はベルトコンベア等からなるスタッカ３９に順次積載される。
【００４７】  なお、前記実施例の長尺シートＳ１を使用した製本型往復葉書Ｊ１の製造方法は、繰り出し工程に設置される以前に当初から長尺シートＳ１の折り線５、６及び７に各種折り手段が形成されているが、前記折り手段の形成時期に格別な制限はない。例えば繰り出し工程と被覆工程間或いは被覆工程と折り畳み工程間で形成することができ、また繰り出し工程以前を含め前記各工程間で段階的に形成しても構わない。
【００４８】［製本型往復葉書Ｊ２］
本実施例の製本型往復葉書Ｊ２は、図１４及び図１５に示すように例えば上から第一葉片４１、第二葉片４２、第四葉片４４及び第三葉片４３がそれぞれ折り線４５及び４６に形成された折り兼開封ミシン及び折り筋から第四葉片４４を挟み込むように略断面Ｚ字状に折り畳まれると共に、第一葉片４１と第二葉片４２の対向面間及び第二葉片４２と第四葉片４４の対向面間が疑似接着フィルムシートＧを介して剥離可能に一体化された往復葉書である。
【００４９】  なお、第一葉片４１の上側縁辺には第二葉片４２の上側縁辺に沿って記載されている「郵便往復葉書」の文言と対応する部分が切り欠かれており、外部から視認することができるよう構成されている。
【００５０】  そして図１４（Ｃ）に示すように、第一葉片４１と第二葉片４２を連接する折り線４５と逆側の縁辺段差部分が、フィルムシートＦの被覆により製本状態に形成されている。
【００５１】  なおフィルムシートＦ及び疑似接着シートＧの構成は、正しくは図２７（Ａ）及び（Ｂ）に示すようにそれぞれ２層と３層であるが、後述する製本型往復葉書の製造方法等を含め複雑化を避けるため両者共に１層で表現している。
【００５２】  また図１４（Ａ）に示すように、第一葉片４１の左下隅にコーナーカット部Ｋが設けられ、この部分を剥離の端緒として折り線４５に形成された折り兼開封ミシンに沿って第一葉片４１と第二葉片４２の剥離が開始される。なお図１４（Ｃ）に示すように、第二葉片４２と第四葉片４４は対向面間に介在する疑似接着フィルムシートＧを開封側縁辺から内方へ控え配置することにより生じる非接着域を開封の端緒とすることができる。前記非接着域は対向葉片の何れかの葉片或いは両者の開封縁辺から内方へ疑似接着フィルムシートを控えて被覆すること等により容易に形成することができる。
【００５３】  さらに、図１４（Ｃ）に示すように、第二葉片４２及び第四葉片４４は本来独立して分離しているところ疑似接着フィルムシートＧにより連接状態となっている。
【００５４】  既述の通り構成された製本型往復葉書Ｊ２は、図１４及び図１５に示すように見た目すっきりとしており、段差部の外観が全体のデザイン等を邪魔して美観を損ねる原因にはならない。また図１５に示すように第一葉片４１と第二葉片４２は折り線４５に形成された兼開封ミシンから容易に破断され剥離でき、一方第二葉片４２と第四葉片４４は既述の非接着域を端緒として剥離することができ、返信葉書を含めて４葉片が全体として見開き製本状態に展開される。
【００５５】［枚葉シートＳ２を使用した製本型往復葉書Ｊ２の製造方法］
本発明の製本型往復葉書Ｊ２の製造方法に使用される枚葉シートＳ２は図１６に示すように、第一葉片４１、第二葉片４２、第三葉片４３及び第四葉片４４が折り線４５、４６及び縦方向の余白５０ｂ、５０ｃを介して横方向に連接した単位シートｔ２が、両外側の縦方向の余白５０ａ、５０ｄ及び横方向の余白部分Ｙにより周囲を囲まれる配置で３丁印刷されている。また第一葉片４１ではその外側には打ち抜き窓部Ｑと、折り線４５側の左下角にコーナーカット部Ｋ、また郵便番号欄の上方に横長の打抜き孔Ｈ２が形成されている。そして各単位シートｔ２の上方には後述する製造工程でセンサが読み取るための帯状のマークＭ１が記載されている。
【００５６】  そして枚葉シートＳ２の表面側には図１６に示すように、第一葉片４１に郵便切手欄や郵便番号欄、或いは図示されない受取人の住所氏名等が記載されている。また、製本型往復葉書Ｊ２の完成後に折り畳まれて内部に隠蔽される第二葉片４２表面には、図示されていないが、個人情報や広告宣伝等の一般情報が記載されている。さらに製本型往復葉書Ｊ２の完成後に返信葉書の宛名面となる第三葉片４３には、図示されていないが返信先の住所氏名や宣伝広告等の一般情報が記載されており、製本型往復葉書Ｊ２の完成後に外部に表出する第四葉片４４には、図示されていないが宣伝広告等の一般情報が記載されている。
【００５７】  枚葉シートＳ２裏面側は図１７に示すように、製本型往復葉書Ｊ２の完成後に折り畳まれて内部に隠蔽される第一葉片４１、第二葉片４２及び第四葉片４４では、図示されていないが個人情報や広告宣伝等の一般情報が記載されている。また製本型往復葉書Ｊ２の完成後に外部に表出する第三葉片には図示されていないが広告宣伝等の一般情報が記載されている。なお第一葉片４１裏面と第二葉片４２裏面を折り線４５から折り合わせると、打ち抜き孔Ｈ２から第二葉片４２の上部に記載される「郵便往復葉書」の表示が表出する位置に記載されている。
【００５８】  既述のように構成された枚葉シートＳ２は工程の最上流に積載される前に、図１８に示すように第四葉片４４外側の縦方向の余白５０ｄが切除された後に、図１９（Ａ）、（Ｂ）及び図２０に示すように第三葉片４３と第四葉片４４の表面同士を対向させるよう折り線４７から片袖折り状態に折り畳まれる。
【００５９】  そして折り畳まれた枚葉シートＳ２は図１９に示す表側を上にして、図２１に示す工程の最上流になる左の用紙載せ台６１の上に積載される。そして最上面の枚葉シートＳ２から吸着パッド６２等からなる繰り出し装置により、等間隔でまたは前後端部を付き合わせながら、或いは前後端部を重ね合わせながら順次繰り出される。繰り出された枚葉シートＳ２は右側に配置された一対のニップローラ６３ａ、６３ｂにより、右側に配置された一対のヒートローラ６４ａ、６４ｂからなる被覆工程へとさらに送り出されるのである。
【００６０】  被覆工程では、枚葉シートＳ２の表面側において図２２（Ａ）及び（Ｂ）に示すように、縦方向の余白５０ｃから第四葉片４４及び第二葉片４２の折り線４５手前側にまたがり疑似接着フィルムシートＧが被覆される。また第一葉片４１の右縁辺から縦方向の余白５０ａにまたがり打ち抜き窓部Ｑを全面的にカバーする状態でフィルムシートＦが被覆される。
【００６１】  そして図２３に示すように、枚葉シートＳ２の裏面側において下方から並列に繰り出されるほぼ同じ幅の疑似接着フィルムシートＧが、折り線４５から折り合わされた際に一致して対向する配置で第一葉片４１及び第二葉片４２裏面に被覆される。
【００６２】  次に枚葉シートＳ２は、右側に配置されている共通のバックアップローラ６５ｃ上に設置された折り兼開封ミシン６５ａ及び折り筋刃６５ｂからなる折り手段形成装置により、図２４に示すように折り線４５及び４６にそれぞれ折り兼開封ミシンと折り筋が形成される。
【００６３】  そして折り手段が形成された後に引き続き右側に配置されているスリット刃６６ａとバックアップローラ６６ｂとからなる切除装置により、図２５に示すように両外側の縦方向の余白５０ａと５０ｃ（５０ｂ）が切除され、さらに右側に配置された一対のニップローラ６７ａ、６７ｂにより右側の折り畳み工程を構成する折り畳み装置へ送り出されるのである。なお縦方向の余白５０ａは、図２２の打ち抜き窓部Ｑの内部に描かれた二点鎖線の切断予定線４８ａに沿って切除されるため、切除後は第一葉片４１の右側縁辺に沿ってフィルムシートＦが部分的にはみ出した状態になっている。
【００６４】  なお、前記折り手段形成工程と縦方向の余白の切除工程は入れ替えても構わない。また同一のバックアップローラ上に折り手段（折りミシン、折り筋）形成用の刃と、縦方向の余白を切除するためのスリット刃を並列に配置して同時に両加工を行っても構わない。
【００６５】  折り畳み装置では下方のサポートローラ６８から上方のサポート６９へ引き上げられるまでに、図２６に示すように、枚葉シートＳ２は略断面Ｚ字状（第四葉片４４は挟み込まれている）に連続的に折り畳まれる。そして略水平に向きを変えると右側に配置されている一対のニップローラ７０ａ、７０ｂによりさらに右側に配置された断裁刃７２ａと固定刃７２ｂとからなる断裁装置による断裁工程へ送り出される。
【００６６】  断裁工程では図２６に示す横方向の余白部分Ｙや、前後する枚葉シートＳ２間の隙間に露出している各種フィルムシートが断裁されて除去される。即ち、図２６の状態で通過する連続状態の枚葉シートＳ２に印刷されたマークＭ１をセンサ７１が読み取ると、単位シートｔ２の天側の辺Ｌ１までの距離を電気的にカウントして辺Ｌ１を前記断裁装置により断裁する。さらにカウントは行われ、単位シートｔ２の地側の辺Ｌ２までの距離を電気的にカウントして辺Ｌ２を断裁することにより最初の単位シートｔ２が切り出される。
【００６７】  続いてマークＭ２を読み取ったセンサ７１の電気的なカウントにより辺Ｌ３及びＬ４が断裁されて次の単位シートｔ２が切り出される。このようにマークＭ３までを読み取り１枚の枚葉シートＳ２から合計３枚の単位シートｔ２を切り出すのである。
【００６８】  既述の工程により切り出された単位シートｔ２は、右側に配置されている一対の搬送ローラ７３ａ、７３ｂと一対のヒータパネル７４ａ、７４ｂが交互に配置されると共に排出口に一対の加圧ローラ７５ａ、７５ｂを配置した一体化工程へと送り出されるのであるが、一体化工程から完成された製本型往復葉書Ｊ２が積載されるまでは、既述の枚葉シートＳ１を使用した製本型往復葉書Ｊ１の製造方法と同様なため省略する。
【００６９】  ところで折り手段の形成を実施する時期でミシンの貫通状態が異なる。例えば被覆工程の上流側でミシンが形成されると、シート本体には貫通ミシンが形成されるが後からその上に被覆される各種フィルムシートには形成されない。また被覆工程の下流側で形成される場合、各種フィルムシートが被覆されたシートの上から、シート本体と各種フィルムシートの両者に貫通ミシンが形成されることになる。さらに上流側でミシンを形成しておいて、下流側で被覆されたミシンが貫通していない各種フィルムシートの上から前記ミシンの上に折り筋を加えると、よりスムーズな折り手段を得ることができる。もちろん折りミシン代えて折り筋を採用しても構わない。
【符号の説明】
【００７０】Ｊ１、Ｊ２  製本型往復葉書
Ｓ１  枚葉シート
Ｓ２  長尺シート
ｔ１、ｔ２  単位シート
Ｆ  フィルムシート
Ｇ  疑似接着シート
Ｍ、Ｍ１、Ｍ２、Ｍ３  マーク
Ｑ  打ち抜き窓部
Ｋ  コーナーカット部
Ｈ１、Ｈ２  打ち抜き孔
Ｌ１、Ｌ２、Ｌ３、Ｌ４、Ｌ５、Ｌ６  辺
１、２、３、４、４１、４２、４３、４４  葉片
５、６、７、４５、４６、４７  折り線
８ａ、８ｂ、８ｃ、８ｄ、９、４８ａ、４８ｂ、４８ｃ  切取予定線
１１  マージナル孔
１０ａ、１０ｂ、１０ｃ、１０ｄ  マージナル部分
５０ａ、５０ｂ、５０ｃ、５０ｄ  縦方向の余白部分
Ｙ  横方向の余白部分
２１、６１  用紙載せ台
６２  吸着パッド
２２、２６、２７、３１、３２、６８、６９  サポートローラ
２３、３３  ピントラクタ
２４ａ、２９ａ、３４ａ、６６ａ  スリット刃
６５ａ  折り兼開封ミシン刃
６５ｂ  折り筋刃
２４ｂ、２９ｂ、３４ｂ、３５ｂ、６５ｃ、６６ｂ  バックアップローラ
２５ａ、２５ｂ、３０ａ、３０ｂ、６３ａ、６３ｂ、６７ａ、６７ｂ、７０ａ、７０ｂ    ニップローラ
２８ａ、２８ｂ、６４ａ、６４ｂ  ヒートローラ
３５ａ  ダイカットローラ
３６ａ、３６ｂ、７３ａ、７３ｂ  搬送ローラ
３７ａ、３７ｂ、７４ａ、７４ｂ  ヒータパネル
３８ａ、３８ｂ、７５ａ、７５ｂ  加圧ローラ
３９、７６  スタッカ
７１  センサ
７２ａ  断裁刃
７２ｂ  固定刃
８１  基材
８２  感熱接着剤層
８３  疑似接着層
【図１】
2017128102.tif 000003
【図２】
2017128102.tif 000004
【図３】
2017128102.tif 000005
【図４】
2017128102.tif 000006
【図５】
2017128102.tif 000007
【図６】
2017128102.tif 000008
【図７】
2017128102.tif 000009
【図８】
2017128102.tif 000010
【図９】
2017128102.tif 000011
【図１０】
2017128102.tif 000012
【図１１】
2017128102.tif 000013
【図１２】
2017128102.tif 000014
【図１３】
2017128102.tif 000015
【図１４】
2017128102.tif 000016
【図１５】
2017128102.tif 000017
【図１６】
2017128102.tif 000018
【図１７】
2017128102.tif 000019
【図１８】
2017128102.tif 000020
【図１９】
2017128102.tif 000021
【図２０】
2017128102.tif 000022
【図２１】
2017128102.tif 000023
【図２２】
2017128102.tif 000024
【図２３】
2017128102.tif 000025
【図２４】
2017128102.tif 000026
【図２５】
2017128102.tif 000027
【図２６】
2017128102.tif 000028
【図２７】
2017128102.tif 000029